(57)【要約】【課題】ネットワークを共有する複数のシステムを容易かつ早期に移設することができる遠隔監視センター装置のシステム移設方法の提供。【解決手段】建物Ｙに代替ルータ２ｂを含む代替機を設置し、ルータ渡り線３１とハブ渡り線３２，３３を準備する移設前準備工程Ａと、上位回線１ａから切替先上位回線１ｂへ切替える上位回線切替工程Ｂと、代替システムα、β稼働機を代替ハブ１０ｂ，１１ｂへそれぞれ接続する代替システム稼働機接続工程Ｃ，Ｅと、システムα、β稼働機をそれぞれ停止させて各代替システムα、β稼働機を稼働させ、各システムα、β稼働機を建物Ｙへ移設し、代替システムα、β稼働機をシステムα、β稼働機に順次切り替えて各システムα、β稼働機を稼働させ、代替システムα、β稼働機を建物Ｙから撤去するシステム稼働機移設工程Ｄ，Ｆと、代替ファイアウォール稼働工程Ｈと、撤去工程とを備えた。【選択図】図１
2012124831.tif 000002
【特許請求の範囲】
【請求項１】
建物内に備えられ、ルータと、このルータを経由してインターネットに接続する上位回線と、前記ルータに接続され、外部からの進入を防ぐファイアウォールと、このファイアウォールに接続されたハブと、このハブに接続され、各自の機能を提供する複数のシステムをそれぞれ稼働させる複数のシステム稼働機とから構築され、前記建物から離れた場所に配置された端末装置を常時稼働して遠隔的に監視する遠隔監視センター装置に備えられる前記ネットワークを共有する前記複数のシステムを、前記建物から別の建物へ移設する遠隔監視センター装置のシステム移設方法において、
前記ルータと同等の機能を有し、前記ルータを代替する代替ルータと、インターネットの接続先を前記ルータから前記代替ルータへ切替える切替先上位回線と、前記ファイアウォールと同等の機能を有し、前記ファイアウォールを代替する代替ファイアウォールと、前記ハブと同等の機能を有し、前記ハブを代替する代替ハブと、前記複数のシステム稼働機と同等の機能をそれぞれ有し、前記複数のシステム稼働機をそれぞれ代替する複数の代替システム稼働機と、前記ファイアウォールと前記代替ルータとを接続するルータ渡り線と、前記ハブと前記代替ハブとを接続するハブ渡り線とを用意し、
前記別の建物に前記切替先上位回線を敷設すると共に前記代替ルータ及び前記代替ハブを設置し、さらに前記ファイアウォールと前記代替ルータとを前記ルータ渡り線で接続し、前記ハブと前記代替ハブとを前記ハブ渡り線で接続する移設前準備工程と、
前記上位回線から前記切替先上位回線へ切替えることによって前記代替ルータを経由してインターネットに接続する上位回線切替工程と、
前記複数の代替システム稼働機を前記代替ハブへそれぞれ接続する代替システム稼働機接続工程と、
前記複数のシステム稼働機をそれぞれ停止させて前記複数の代替システム稼働機をそれぞれ稼働させ、前記複数のシステム稼働機を前記別の建物へそれぞれ移設し、前記複数の代替システム稼働機を前記複数のシステム稼働機に順次切り替えて前記複数のシステム稼働機をそれぞれ稼働させ、前記複数の代替システム稼働機を前記別の建物から撤去するシステム稼働機移設工程と、
前記代替ファイアウォールを前記別の建物に設置して稼働させる代替ファイアウォール稼働工程と、
前記建物内の前記ルータ、前記ファイアウォール、及び前記ハブと、前記ルータ渡り線及び前記ハブ渡り線を撤去する撤去工程とを備えたことを特徴とする遠隔監視センター装置のシステム移設方法。
【請求項２】
請求項１に記載の遠隔監視センター装置のシステム移設方法において、
前記撤去工程において撤去した前記ルータを前記別の建物に移設し、前記代替ルータと前記ルータとを切替えるルータ移設工程と、
前記撤去工程において撤去した前記ファイアウォールを前記別の建物に移設し、前記代替ファイアウォールと前記ファイアウォールとを切替えるファイアウォール移設工程と、
前記撤去工程において撤去した前記ハブを前記別の建物に移設し、前記代替ハブと前記ハブとを切替えるハブ移設工程とを特徴とする遠隔監視センター装置のシステム移設方法。
【請求項３】
請求項１又は２に記載の遠隔監視センター装置のシステム移設方法において、
前記複数の代替システム稼働機は、予め動作を確認する試験が行われた試験機からそれぞれ構成されていることを特徴とする遠隔監視センター装置のシステム移設方法。
【発明の詳細な説明】
【技術分野】
【０００１】
本発明は、建物内に備えられたネットワークを共有する複数のシステムを別の建物へ移設する遠隔監視センター装置のシステム移設方法に関する。
【背景技術】
【０００２】
一般的に、遠隔監視センター装置は、建物内に備えられ、例えばルータと、このルータを経由してインターネットに接続する上位回線と、ルータに接続され、外部からの進入を防ぐファイアウォールと、このファイアウォールに接続されたハブと、このハブに接続され、各自の機能を提供する複数のシステムをそれぞれ稼働させる複数のシステム稼働機とから構築されたネットワークを有し、建物から離れた場所に配置された端末装置を常時稼働して遠隔的に監視するようになっている。
【０００３】
このような遠隔監視センター装置として、例えば建物に設置されたエレベータの乗かご内をカメラで撮影し、撮影された映像を上述のネットワークが構築された建物内において常時監視し、乗かご内に乗客が閉じ込められた等の緊急時に迅速に対応することができるようにしたものがある。従って、遠隔監視センター装置は２４時間３６５日連続して稼働することが要求されるので、遠隔監視センター装置を別の建物に移設する場合には、移設後にネットワークを構成する機器が正常に動作するようにこれらの機器の運搬作業や配線作業等を正確かつ安全に行う必要がある。
【０００４】
そこで、遠隔監視センター装置を移設する方法ではないが、計算センタのネットワークを構成する機器を移設する方法の従来技術の１つとして、計算センタの移転に伴って必要となる、計算センタ内に設置された複数台の通信制御処理装置と、これらの装置それぞれに離れて散在して接続された比較的少数台ずつの端末機との間の通信回線の、膨大かつ複雑な切替工事を、一部ずつ順次、動作確認を行いながら、業務を停止させずに行えるようにした回線切替工事法が提案されている（例えば、特許文献１参照）。
【先行技術文献】
【特許文献】
【０００５】
【特許文献１】特開平２−６２１２９号公報
【発明の概要】
【発明が解決しようとする課題】
【０００６】
特許文献１に開示された従来技術の回線切替工事法では、上述したように通信回線が１台の通信制御処理装置に収容されている端末機それぞれと移設先の新センタの間の新回線の動作を少数の端末機分ずつ動作を確認しながら切替えることにより、業務を停止することなくネットワークを構成する機器を旧センタから新センタに安全に移設することができる。しかし、遠隔監視センター装置のようにネットワークを共有する複数のシステムを移設する場合には、各システムのサーバに搭載されるアプリケーションソフトの種類がそれぞれ異なるので、移設後に各システムのサーバを１台ずつ構築し直さなければならず、サーバの構築作業が煩雑となっている。従って、これら各システムのサーバの構築作業を全サーバ台数分行うのに多大な時間と手間がかかり、移設期間が長期化することが問題となっている。
【０００７】
本発明は、このような従来技術の実情からなされたもので、その目的は、ネットワークを共有する複数のシステムを容易かつ早期に移設することができる遠隔監視センター装置のシステム移設方法を提供することにある。
【課題を解決するための手段】
【０００８】
上記の目的を達成するために、本発明の遠隔監視センター装置のシステム移設方法は、建物内に備えられ、ルータと、このルータを経由してインターネットに接続する上位回線と、前記ルータに接続され、外部からの進入を防ぐファイアウォールと、このファイアウォールに接続されたハブと、このハブに接続され、各自の機能を提供する複数のシステムをそれぞれ稼働させる複数のシステム稼働機とから構築され、前記建物から離れた場所に配置された端末装置を常時稼働して遠隔的に監視する遠隔監視センター装置に備えられる前記ネットワークを共有する前記複数のシステムを、前記建物から別の建物へ移設する遠隔監視センター装置のシステム移設方法において、前記ルータと同等の機能を有し、前記ルータを代替する代替ルータと、インターネットの接続先を前記ルータから前記代替ルータへ切替える切替先上位回線と、前記ファイアウォールと同等の機能を有し、前記ファイアウォールを代替する代替ファイアウォールと、前記ハブと同等の機能を有し、前記ハブを代替する代替ハブと、前記複数のシステム稼働機と同等の機能をそれぞれ有し、前記複数のシステム稼働機をそれぞれ代替する複数の代替システム稼働機と、前記ファイアウォールと前記代替ルータとを接続するルータ渡り線と、前記ハブと前記代替ハブとを接続するハブ渡り線とを用意し、前記別の建物に前記切替先上位回線を敷設すると共に前記代替ルータ及び前記代替ハブを設置し、さらに前記ファイアウォールと前記代替ルータとを前記ルータ渡り線で接続し、前記ハブと前記代替ハブとを前記ハブ渡り線で接続する移設前準備工程と、前記上位回線から前記切替先上位回線へ切替えることによって前記代替ルータを経由してインターネットに接続する上位回線切替工程と、前記複数の代替システム稼働機を前記代替ハブへそれぞれ接続する代替システム稼働機接続工程と、前記複数のシステム稼働機をそれぞれ停止させて前記複数の代替システム稼働機をそれぞれ稼働させ、前記複数のシステム稼働機を前記別の建物へそれぞれ移設し、前記複数の代替システム稼働機を前記複数のシステム稼働機に順次切り替えて前記複数のシステム稼働機をそれぞれ稼働させ、前記複数の代替システム稼働機を前記別の建物から撤去するシステム稼働機移設工程と、前記代替ファイアウォールを前記別の建物に設置して稼働させる代替ファイアウォール稼働工程と、前記建物内の前記ルータ、前記ファイアウォール、及び前記ハブと、前記ルータ渡り線及び前記ハブ渡り線を撤去する撤去工程とを備えたことを特徴としている。
【０００９】
このように構成した本発明は、建物内に備えられ、ネットワークを構成する複数のシステムを別の建物に移設する場合には、移設前準備工程において別の建物、すなわち移設先の建物に切替先上位回線を敷設すると共に代替ルータ及び代替ハブを設置し、さらにファイアウォールと代替ルータとをルータ渡り線で接続すると共に、ハブと代替ハブとをハブ渡り線で接続し、上位回線切替工程においてルータに接続された上位回線から代替ルータに接続された切替先上位回線へ切替えることにより、建物から離れた場所に配置された端末装置の設定を変更することなく、移設先の建物から代替ルータを経由してインターネットの接続を維持することができる。
【００１０】
そして、代替システム稼働機接続工程において複数の代替システム稼働機を代替ハブへそれぞれ接続し、複数のシステム稼働機をそれぞれ停止させて複数の代替システム稼働機をそれぞれ稼働させることにより、移設先の建物に設置された複数の代替システム稼働機が、移設元の建物に設置された複数のシステム稼働機と同等の機能を果たすので、複数のシステム稼働機を移設元の建物から移設先の建物へ搬送することができる。従って、システム稼働機移設工程において複数のシステム稼働機を移設先の建物へそれぞれ移設し、複数の代替システム稼働機を複数のシステム稼働機に順次切り替えて複数のシステム稼働機をそれぞれ稼働させ、複数の代替システム稼働機を別の建物から撤去することにより、各システムの機能にほとんど影響を与えることなく、移設元のネットワーク上のシステムを移設先においてもそのまま使用することができる。また、代替ファイアウォール稼働工程において代替ファイアウォールを移設先の建物に設置して稼働させ、撤去工程において移設元の建物内のルータ、ファイアウォール、及びハブと、ルータ渡り線及びハブ渡り線を撤去することにより、ネットワークを構成する機器の移設に伴って各システムのサービスが長期にわたって停止することを抑えることができ、移設先の建物において各システムのサービスを安定的に継続することができる。このように、ネットワークを共有する複数のシステムを移設しても各システムの機能をそのまま使用することができ、移設先の建物において各システムのサーバを構築し直さなくて済むので、遠隔監視センター装置に備えられるネットワークを共有する複数のシステムを容易かつ早期に移設することができる。
【００１１】
また、本発明に係る遠隔監視センター装置のシステム移設方法は、前記発明において、前記撤去工程において撤去した前記ルータを前記別の建物に移設し、前記代替ルータと前記ルータとを切替えるルータ移設工程と、前記撤去工程において撤去した前記ファイアウォールを前記別の建物に移設し、前記代替ファイアウォールと前記ファイアウォールとを切替えるファイアウォール移設工程と、前記撤去工程において撤去した前記ハブを前記別の建物に移設し、前記代替ハブと前記ハブとを切替えるハブ移設工程とを特徴としている。
【００１２】
このように構成した本発明は、ルータ移設工程、ファイアウォール移設工程、及びハブ移設工程において、移設先の建物において代替した代替ルータ、代替ファイアウォール、及び代替ハブを移設元のルータ、ファイアウォール、及びハブとそれぞれ交換して切替えることにより、移設元の建物において使用していた機器によってネットワークを再び構成することができるので、各機器との相性や通信性能に与える影響を低減することができる。
【００１３】
また、本発明に係る遠隔監視センター装置のシステム移設方法は、前記発明において、前記複数の代替システム稼働機は、予め動作を確認する試験が行われた試験機からそれぞれ構成されていることを特徴としている。このように構成すると、複数の代替システム稼働機の試験機は予め動作が確認されているので、ネットワークを共有する複数のシステムの移設作業において各システムの設定や動作の確認にかかる時間を短縮することができる。これにより、各システムの移設作業をより迅速に行うことができ、作業者の負担を軽減することができる。
【発明の効果】
【００１４】
本発明の遠隔監視センター装置のシステム移設方法は、建物内に備えられたネットワークを構成する機器と同等の機能を有する代替機を用意し、別の建物に切替先上位回線を敷設すると共に代替ルータ及び代替ハブを設置し、さらにファイアウォールと代替ルータとをルータ渡り線で接続し、ハブと代替ハブとをハブ渡り線で接続する移設前準備工程と、上位回線から切替先上位回線へ切替えることによって代替ルータを経由してインターネットに接続する上位回線切替工程とを備えている。そして、本発明は、複数の代替システム稼働機を代替ハブへそれぞれ接続する代替システム稼働機接続工程と、複数のシステム稼働機をそれぞれ停止させて複数の代替システム稼働機をそれぞれ稼働させ、複数のシステム稼働機を別の建物へそれぞれ移設し、複数の代替システム稼働機を複数のシステム稼働機に順次切り替えて複数のシステム稼働機をそれぞれ稼働させ、複数の代替システム稼働機を別の建物から撤去するシステム稼働機移設工程と、代替ファイアウォールを別の建物に設置して稼働させる代替ファイアウォール稼働工程と、建物内のルータ、ファイアウォール、及びハブと、ルータ渡り線及びハブ渡り線を撤去する撤去工程とを備えている。このように、建物内に備えられたネットワークを構成する機器と同等の機能を有する各代替機を移設先の建物内に搬入し、移設先の建物の代替ルータと移設元の建物のファイアウォールとをルータ渡り線で接続し、さらに移設先の建物の代替ハブと移設元の建物のハブとをハブ渡り線で接続して複数のシステムを順次移設することにより、移設作業に伴って各システムのサービスが停止することを抑え、移設先の建物においても移設元の建物の複数のシステムをそのまま使用することができる。これにより、移設先の建物において各システムのサーバを構築する必要がないので、ネットワークを共有する複数のシステムを容易かつ早期に移設することができ、各システムの移設作業にかかる時間を短縮することができる。
【図面の簡単な説明】
【００１５】
【図１】本発明に係る遠隔監視センター装置のシステム移設方法の一実施形態の構成を示すフローチャートである。
【図２】本実施形態における移設前のネットワークの接続状態を示す図である。
【図３】図１に示す移設前準備工程を説明する図である。
【図４】図１に示す上位回線切替工程を説明する図である。
【図５】図１に示す代替システム稼働機接続工程を説明する図である。
【図６】図１に示すシステム稼働機移設工程を説明する図である。
【図７】図１に示す代替システム稼働機接続工程を説明する図である。
【図８】図１に示すシステム稼働機移設工程を説明する図である。
【図９】図１に示す代替ファイアウォール接続工程を説明する図である。
【図１０】図１に示す代替ファイアウォール稼働工程を説明する図である。
【図１１】図１に示すファイアウォール移設工程を説明する図である。
【図１２】図１に示すファイアウォール稼働工程を説明する図である。
【図１３】本実施形態における移設後のネットワークの接続状態を示す図である。
【発明を実施するための形態】
【００１６】
以下、本発明に係る遠隔監視センター装置のシステム移設方法を実施するための形態を図に基づいて説明する。
【００１７】
図１に示すように、本発明に係るシステム移設方法の一実施形態が適用される遠隔監視センター装置は、例えば図２に示すように建物Ｘ内に備えられ、ルータ２ａと、このルータ２ａを経由してインターネットに接続する上位回線１ａと、ルータ２ａに接続され、外部からの進入を防ぐファイアウォール３ａと、このファイアウォール３ａに接続されたハブ、例えばファイアウォール３ａにそれぞれ接続されたＤＭＺスイッチングハブ１０ａ及び非公開スイッチングハブ１１ａとを備えている。
【００１８】
また、遠隔監視センター装置は、これらのＤＭＺスイッチングハブ１０ａ及び非公開スイッチングハブ１１ａに接続され、各自の機能を提供する複数のシステムをそれぞれ稼働させる複数のシステム稼働機とから構築されている。例えば、遠隔監視センター装置の複数のシステムは２つのシステムαとシステムβとから成り、このシステムαを稼働させるシステム稼働機、すなわちシステムα稼働機は、例えばＤＭＺスイッチングハブ１０ａに接続されたｗｅｂサーバα１１と、非公開スイッチングハブ１１ａに接続されたデータベースα１２とから成っている。同様に、システムβを稼働させるシステム稼働機、すなわちシステムβ稼働機は、例えばＤＭＺスイッチングハブ１０ａに接続されたｗｅｂサーバβ１１と、非公開スイッチングハブ１１ａに接続されたデータベースβ１２とから成っている。
【００１９】
そして、本発明に係る遠隔監視センター装置のシステム移設方法の一実施形態は、建物Ｘから離れた場所に配置された端末装置ｔ１〜ｔｎを常時稼働して遠隔的に監視する遠隔監視センター装置に備えられるネットワークを共有する２つのシステムαとシステムβを、建物Ｘから隣接する別の建物Ｙへ以下のようにして移設している。すなわち、本実施形態は、ルータ２ａと同等の機能を有し、ルータ２ａを代替する代替ルータ２ｂと、インターネットの接続先をルータ２ａから代替ルータ２ｂへ切替える切替先上位回線１ｂと、ファイアウォール３ａと同等の機能を有し、ファイアウォール３ａを代替する代替ファイアウォール３ｂとを用意する。
【００２０】
また、本実施形態は、ＤＭＺスイッチングハブ１０ａと同等の機能を有し、ＤＭＺスイッチングハブ１０ａを代替する代替ＤＭＺスイッチングハブ１０ｂと、非公開スイッチングハブ１１ａと同等の機能を有し、非公開スイッチングハブ１１ａを代替する代替非公開スイッチングハブ１１ｂとを用意する。さらに、本実施形態は、システムα稼働機と同等の機能を有し、システムα稼働機を代替する代替システムα稼働機と、システムβ稼働機と同等の機能を有し、システムβ稼働機を代替する代替システムβ稼働機と、ファイアウォール３ａと代替ルータ２ｂとを接続するルータ渡り線３１と、ＤＭＺスイッチングハブ１０ａと代替ＤＭＺスイッチングハブ１０ｂとを接続するハブ渡り線３２と、非公開スイッチングハブ１１ａと代替非公開スイッチングハブ１１ｂとを接続するハブ渡り線３３とを用意する。
【００２１】
本実施形態は、代替システムα稼働機及び代替システムβ稼働機は、予め動作を確認する試験が行われた試験機からそれぞれ構成されている。従って、本実施形態は、代替システムα稼働機として予め動作が確認された試験機から成る代替ｗｅｂサーバα２１及び代替データベースα２２を用意し、代替システムβ稼働機として予め動作が確認された試験機から成る代替ｗｅｂサーバβ２１及び代替データベースβ２２を用意する。また、本実施形態では、代替ファイアウォール３ｂも予め動作を確認する試験が行われた試験機から構成されている。
【００２２】
そして、本実施形態は、建物Ｙに切替先上位回線１ｂを敷設すると共に代替ルータ２ｂ、代替ＤＭＺスイッチングハブ１０ｂ、及び代替非公開スイッチングハブ１１ｂを設置し、さらにファイアウォール３ａと代替ルータ２ｂとをルータ渡り線３１で接続し、ＤＭＺスイッチングハブ１０ａと代替ＤＭＺスイッチングハブ１０ｂとをハブ渡り線３２で接続すると共に、非公開スイッチングハブ１１ａと代替非公開スイッチングハブ１１ｂとをハブ渡り線３３で接続する移設前準備工程と、上位回線１ａから切替先上位回線１ｂへ切替えることによって代替ルータ２ｂを経由してインターネットに接続する上位回線切替工程とを備えている。
【００２３】
また、本実施形態は、代替ｗｅｂサーバα２１を代替ＤＭＺスイッチングハブ１０ｂに接続し、代替データベースα２２を代替非公開スイッチングハブ１１ｂに接続すると共に、代替ｗｅｂサーバβ２１を代替ＤＭＺスイッチングハブ１０ｂに接続し、代替データベースβ２２を代替非公開スイッチングハブ１１ｂに接続する代替システム稼働機接続工程と、システムα稼働機とシステムβ稼働機をそれぞれ停止させて代替システムα稼働機及び代替システムβ稼働機をそれぞれ稼働させ、システムα稼働機及びシステムβ稼働機を建物Ｙへそれぞれ移設し、代替システムα稼働機と代替システムβ稼働機をシステムα稼働機とシステムβ稼働機に順次切り替えてシステムα稼働機とシステムβ稼働機をそれぞれ稼働させ、代替システムα稼働機と代替システムβ稼働機を建物Ｙから撤去するシステム稼働機移設工程と、代替ファイアウォール３ｂを建物Ｙに設置して稼働させる代替ファイアウォール稼働工程と、建物Ｘ内のルータ２ａ、ファイアウォール３ａ、及びＤＭＺスイッチングハブ１０ａ、非公開スイッチングハブ１１ａと、ルータ渡り線３１及びハブ渡り線３２，３３を撤去する撤去工程とを備えている。
【００２４】
さらに、本実施形態は、撤去工程において撤去したルータ２ａを建物Ｙに移設し、代替ルータ２ｂとルータ２ａとを切替えるルータ移設工程と、撤去工程において撤去したファイアウォール３ａを建物Ｙに移設し、代替ファイアウォール３ｂとファイアウォール３ａとを切替えるファイアウォール移設工程と、撤去工程において撤去したＤＭＺスイッチングハブ１０ａ及び非公開スイッチングハブ１１ａを建物Ｙに移設し、代替ＤＭＺスイッチングハブ１０ｂ及び代替非公開スイッチングハブ１１ｂとＤＭＺスイッチングハブ１０ａ及び非公開スイッチングハブ１１ａとを切替えるハブ移設工程とを備えている。
【００２５】
次に、本実施形態の動作を図１のフローチャートに基づいて説明し、各工程の詳細を図３〜１３に基づいて説明する。
【００２６】
まず、移設前準備工程Ａでは、図３に示すように建物Ｙに切替先上位回線１ｂを敷設し（Ａ１）、さらに代替ルータ２ｂを設置し（Ａ２）、代替ＤＭＺスイッチングハブ１０ｂ、及び非公開スイッチングハブ１１ｂを設置する（Ａ３）。このとき、切替先上位回線１ｂは、例えば同一通信事業者と契約して回線休止状態とし、後述の上位回線切替工程において回線切替後に上位回線１ａと同じグローバルＩＰ情報が付与される。そして、建物Ｘに設置されたファイアウォール３ａと建物Ｙに設置された代替ルータ２ｂとをルータ渡り線３１で接続すると共に、建物Ｘに設置されたＤＭＺスイッチングハブ１０ａと建物Ｙに設置された代替ＤＭＺスイッチングハブ１０ｂとをハブ渡り線３２で接続し、建物Ｘに設置された非公開スイッチングハブ１１ａと建物Ｙに設置された代替非公開スイッチングハブ１１ｂとをハブ渡り線３３で接続する（Ａ４）。ここで、代替ＤＭＺスイッチングハブ１０ｂ、代替非公開スイッチングハブ１１ｂ、ルータ渡り線３１、及びハブ渡り線３２，３３については、予め導通試験及び動作試験が行われ、システムα及びシステムβが建物Ｙに移設された後に稼働に支障が発生しないようにチェックする（Ａ５）。このとき、事前のチェックで通信が安定しない場合には、建物Ｘ、Ｙ間の配線距離が所定の距離を越えていたり、スイッチングの故障等が考えられるので、図示しないメディアコンバーターを介してルータ渡り線３１及びハブ渡り線３２，３３に光ケーブルを使用することにより、通信線の品質安定化やスイッチングの交換対策等を実施し、移設作業における障害リスクを回避することができる。
【００２７】
次に、上位回線切替工程では、図４に示すように上位回線１ａから切替先上位回線１ｂへ通信事業者側で切替えることによって代替ルータ２ｂを経由してインターネットに接続する（Ｂ１）。このとき、回線の切替えにかかる所要時間は、通信事業者による上位回線１ａから切替先上位回線１ｂへの切替時間とルータ２ｂの起動時間となる。また、回線の切替に失敗した場合には、通信事業者によって切替先上位回線１ｂから上位回線１ａに再度切替える作業を行い、ルータ２ａを起動させることで回復する。従って、切替先上位回線１ｂと代替ルータ２ｂが安定的に稼働していることを確認するまでルータ２ａを建物Ｘに設置したままにしておく。そして、所定の期間の間、切替先上位回線１ｂと代替ルータ２ｂが安定的に稼働していることを確認した場合には、撤去工程においてルータ２ａを建物Ｘから撤去し、ルータ移設工程においてルータ２ａを建物Ｙに移設して代替機ルータ２ｂと切替える。このとき、システムα及びシステムβのサービスの停止時間は、ルータ２ａの起動時間となる。
【００２８】
次に、代替システム稼働機接続工程では、図５に示すように代替ｗｅｂサーバα２１を代替ＤＭＺスイッチングハブ１０ｂに電源を落とした状態で接続し（Ｃ１）、代替データベースα２２を代替非公開スイッチングハブ１１ｂに電源を落とした状態で接続する（Ｃ２）。なお、試験機として用意された代替ｗｅｂサーバα２１及び代替データベースα２２は、ＩＰアドレス、サブネットマスク、デフォルトゲートウェイ等のネットワーク諸情報やアプリケーションソフト構成、バージョンについてｗｅｂサーバα１１及びデータベースα１２と同じにそれぞれ設定されている。
【００２９】
次に、システム稼働機移設工程では、システムα稼働機、すなわちｗｅｂサーバα１１及びデータベースα１２を停止させ（Ｄ１）、代替システムα稼働機、すなわち代替ｗｅｂサーバα２１及び代替データベースα２２を稼働させる（Ｄ２）。このとき、代替データベースα２２の整合性をとる手順が含まれており、システムαのサービスの停止時間は、代替データベースα２２の整合性確保とサーバ起動処理時間となる。ここで、万一、代替ｗｅｂサーバα２１及び代替データベースα２２に障害が発生して稼働することが困難となった場合には、代替ｗｅｂサーバα２１及び代替データベースα２２を停止させ、ｗｅｂサーバα１１及びデータベースα１２を稼働して復旧させ、システムαのサービスを維持することができる。
【００３０】
Ｄ２において代替ｗｅｂサーバα２１及び代替データベースα２２を稼働させた後、所定の期間の間、代替ｗｅｂサーバα２１及び代替データベースα２２が安定的に稼働していることを確認するまで、ｗｅｂサーバα１１及びデータベースα１２を建物Ｘに設置したままにしておく。そして、所定の期間の間、代替ｗｅｂサーバα２１及び代替データベースα２２が安定的に稼働していることを確認した場合には、図６に示すようにｗｅｂサーバα１１及びデータベースα１２を建物Ｙへ移設し（Ｄ３）、代替ｗｅｂサーバα２１及び代替データベースα２２をｗｅｂサーバα１１及びデータベースα１２にそれぞれ切り替えてｗｅｂサーバα１１及びデータベースα１２を稼働させる（Ｄ４）。Ｄ４においてｗｅｂサーバα１１及びデータベースα１２を稼働させた後、所定の期間の間、ｗｅｂサーバα１１及びデータベースα１２が安定的に稼働していることを確認した場合には、代替ｗｅｂサーバα２１及び代替データベースα２２を建物Ｙから撤去する（Ｄ５）。
【００３１】
次に、図７に示すように代替ｗｅｂサーバβ２１を代替ＤＭＺスイッチングハブ１０ｂに電源を落とした状態で接続し（Ｅ１）、代替データベースβ２２を代替非公開スイッチングハブ１１ｂに電源を落とした状態で接続する（Ｅ２）。なお、試験機として用意された代替ｗｅｂサーバβ２１及び代替データベースβ２２は、ＩＰアドレス、サブネットマスク、デフォルトゲートウェイ等のネットワーク諸情報やアプリケーションソフト構成、バージョンについてｗｅｂサーバβ１１及びデータベースβ１２と同じにそれぞれ設定されている。
【００３２】
次に、システムβ稼働機、すなわちｗｅｂサーバβ１１及びデータベースβ１２を停止させ（Ｆ１）、代替システムβ稼働機、すなわち代替ｗｅｂサーバβ２１及び代替データベースβ２２を稼働させる（Ｆ２）。このとき、代替データベースβ２２の整合性をとる手順が含まれており、システムβのサービスの停止時間は、代替データベースβ２２の整合性確保とサーバ起動処理時間となる。ここで、万一、代替ｗｅｂサーバβ２１及び代替データベースβ２２に障害が発生して稼働することが困難となった場合には、代替ｗｅｂサーバβ２１及び代替データベースβ２２を停止させ、ｗｅｂサーバβ１１及びデータベースβ１２を稼働して復旧させ、システムβのサービスを維持することができる。
【００３３】
Ｆ２において代替ｗｅｂサーバβ２１及び代替データベースβ２２を稼働させた後、所定の期間の間、代替ｗｅｂサーバβ２１及び代替データベースβ２２が安定的に稼働していることを確認するまで、ｗｅｂサーバβ１１及びデータベースβ１２を建物Ｘに設置したままにしておく。そして、所定の期間の間、代替ｗｅｂサーバβ２１及び代替データベースβ２２が安定的に稼働していることを確認した場合には、図８に示すようにｗｅｂサーバβ１１及びデータベースβ１２を建物Ｙへ移設し（Ｆ３）、代替ｗｅｂサーバβ２１及び代替データベースβ２２をｗｅｂサーバβ１１及びデータベースβ１２にそれぞれ切り替えてｗｅｂサーバβ１１及びデータベースβ１２を稼働させる（Ｆ４）。Ｆ４においてｗｅｂサーバβ１１及びデータベースβ１２を稼働させた後、所定の期間の間、ｗｅｂサーバβ１１及びデータベースβ１２が安定的に稼働していることを確認した場合には、代替ｗｅｂサーバβ２１及び代替データベースβ２２を建物Ｙから撤去する（Ｆ５）。
【００３４】
次に、代替ファイアウォール稼働工程では、図９に示すように代替ファイアウォール３ｂを建物Ｙに設置し、代替ファイアウォール３ｂを建物Ｙに設置されたルータ２ａ、代替ＤＭＺスイッチングハブ１０ｂ、及び代替非公開スイッチングハブ１１ｂに電源を落とした状態でＬＡＮ線によってそれぞれ接続する（Ｇ１）。そして、図１０に示すように建物Ｘに設置されたファイアウォール３ａを停止させ（Ｈ１）、建物Ｙに設置された代替ファイアウォール３ｂを稼働させる（Ｈ２）。このとき、システムα及びシステムβのサービスの停止時間は、サーバ起動処理にかかる時間のみとなる。また、ルータ渡り線３１及びハブ渡り線３２，３３は不要となるが、代替ファイアウォール３ｂが安定的に稼働していることを確認するまでファイアウォール３ａを建物Ｘに設置したままにしておく。万一、代替ファイアウォール３ｂに障害が発生した場合には、代替ファイアウォール３ｂを停止させ、ファイアウォール３ａを稼働させることにより、システムα及びシステムβのサービスを迅速に復旧することができる。
【００３５】
次に、Ｈ２において代替ファイアウォール３ｂを稼働させた後、所定の期間の間、ファイアウォール３ｂが安定的に稼働していることを確認した場合には、図１１に示すように撤去工程においてファイアウォール３ａを建物Ｘから撤去し、ファイアウォール移設工程においてファイアウォール３ａを建物Ｙに移設する（Ｉ１）。そして、代替ファイアウォール３ｂとファイアウォール３ａとを切替えてファイアウォール３ａを稼働させる（Ｉ２）。
【００３６】
次に、撤去工程では、図１２に示すように建物Ｘ内にＤＭＺスイッチングハブ１０ａ、非公開スイッチングハブ１１ａと、ルータ渡り線３１及びハブ渡り線３２，３３とが残されているので、図１３に示すようにこれらＤＭＺスイッチングハブ１０ａ、非公開スイッチングハブ１１ａと、ルータ渡り線３１及びハブ渡り線３２，３３を撤去する。そして、ハブ移設工程では、撤去工程において撤去したＤＭＺスイッチングハブ１０ａ及び非公開スイッチングハブ１１ａを建物Ｙに移設し、代替ＤＭＺスイッチングハブ１０ｂ及び代替非公開スイッチングハブ１１ｂとＤＭＺスイッチングハブ１０ａ及び非公開スイッチングハブ１１ａとをそれぞれ切替え、本実施形態の動作を終了する。
【００３７】
このように構成した本実施形態によれば、ネットワークを構成する２つのシステムαとシステムβを別の建物Ｙに移設する場合には、図１に示すＡの移設前準備工程において建物Ｙに切替先上位回線１ｂを敷設すると共に、代替ルータ２ｂ、代替ＤＭＺスイッチングハブ１０ｂ、及び代替非公開スイッチングハブ１１ｂを設置してファイアウォール３ａと代替ルータ２ｂとをルータ渡り線３１で接続し、さらにＤＭＺスイッチングハブ１０ａと代替ＤＭＺスイッチングハブ１０ｂとをハブ渡り線３２で接続すると共に、非公開スイッチングハブ１１ａと代替非公開スイッチングハブ１１ｂとをハブ渡り線３３で接続し、図１に示すＢの上位回線切替工程においてルータ２ａに接続された上位回線１ａから代替ルータ２ｂに接続された切替先上位回線１ｂへ切替えることにより、建物Ｘから離れた場所に配置された端末装置ｔ１〜ｔｎの設定を変更することなく、移設先の建物Ｙから代替ルータ２ｂを経由してインターネットの接続を維持することができる。
【００３８】
そして、図１に示すＣの代替システム稼働機接続工程において代替ｗｅｂサーバα２１及び代替データベースα２２を代替ＤＭＺスイッチングハブ１０ｂ及び代替非公開スイッチングハブ１１ｂにそれぞれ接続し、図１に示すＤのシステム稼働機移設工程においてｗｅｂサーバα１１及びデータベースα１２を停止させて代替ｗｅｂサーバα２１及び代替データベースα２２を稼働させることにより、建物Ｙに設置された代替ｗｅｂサーバα２１及び代替データベースα２２が、建物Ｘに設置されたｗｅｂサーバα１１及びデータベースα１２と同等の機能を果たすので、ｗｅｂサーバα１１及びデータベースα１２を建物Ｘから建物Ｙへ搬送することができる。従って、システム稼働機移設工程においてｗｅｂサーバα１１及びデータベースα１２を建物Ｙへ移設し、代替ｗｅｂサーバα２１及び代替データベースα２２をｗｅｂサーバα１１及びデータベースα１２にそれぞれ切り替えてｗｅｂサーバα１１及びデータベースα１２をそれぞれ稼働させ、代替ｗｅｂサーバα２１及び代替データベースα２２を建物Ｙから撤去することにより、システムβの機能にほとんど影響を与えることなく、移設元のネットワーク上のシステムαを移設先においてもそのまま使用することができる。
【００３９】
同様に、図１に示すＥの代替システム稼働機接続工程において代替ｗｅｂサーバβ２１及び代替データベースβ２２を代替ＤＭＺスイッチングハブ１０ｂ及び代替非公開スイッチングハブ１１ｂに接続し、図１に示すＦのシステム稼働機移設工程においてｗｅｂサーバβ１１及びデータベースβ１２を停止させて代替ｗｅｂサーバβ２１及び代替データベースβ２２を稼働させることにより、建物Ｙに設置された代替ｗｅｂサーバβ２１及び代替データベースβ２２が、建物Ｘに設置されたｗｅｂサーバβ１１及びデータベースβ１２と同等の機能を果たすので、ｗｅｂサーバβ１１及びデータベースβ１２を建物Ｘから建物Ｙへ搬送することができる。従って、システム稼働機移設工程においてｗｅｂサーバβ１１及びデータベースβ１２を建物Ｙへ移設し、代替ｗｅｂサーバβ２１及び代替データベースβ２２をｗｅｂサーバβ１１及びデータベースβ１２にそれぞれ切り替えてｗｅｂサーバβ１１及びデータベースβ１２をそれぞれ稼働させ、代替ｗｅｂサーバβ２１及び代替データベースβ２２を建物Ｙから撤去することにより、システムαの機能にほとんど影響を与えることなく、移設元のネットワーク上のシステムβを移設先においてもそのまま使用することができる。
【００４０】
また、図１に示すＨの代替ファイアウォール稼働工程において代替ファイアウォール３ｂを建物Ｙに設置して稼働させ、さらに建物Ｘ内からルータ２ａ、ファイアウォール３ａ、ＤＭＺスイッチングハブ１０ａ、及び非公開スイッチング１１ａを建物Ｙへ移設して代替ルータ２ｂ、代替ファイアウォール３ｂ、代替ＤＭＺスイッチングハブ１０ｂ、及び代替非公開スイッチングハブ１１ｂと切替え、ルータ渡り線３１及びハブ渡り線３２，３２を撤去することにより、ネットワークを構成する機器の移設に伴ってシステムα及びシステムβのサービスが長期にわたって停止することを抑えることができ、移設先の建物Ｙにおいてシステムα及びシステムβのサービスを安定的に継続することができる。このように、ネットワークを共有するシステムα及びシステムβを移設してもシステムα及びシステムβの機能をそのまま使用することができ、移設先の建物Ｙにおいてシステムα及びシステムβのサーバを構築し直さなくて済むので、遠隔監視センター装置に備えられるネットワークを共有するシステムα及びシステムβを容易かつ早期に移設することができ、システムα及びシステムβの移設作業にかかる時間を短縮することができる。
【００４１】
また、本実施形態は、図１に示すＢ１で行われたルータ移設工程、図１に示すＩ１で行われたファイアウォール移設工程、及びハブ移設工程において、移設先の建物Ｙにおいて代替した代替ルータ２ｂ、代替ファイアウォール３ｂ、代替ＤＭＺスイッチングハブ１０ｂ、及び代替非公開スイッチングハブ１１ｂを移設元の建物Ｘのルータ２ａ、ファイアウォール３ａ、ＤＭＺスイッチングハブ１０ａ、及び非公開スイッチングハブ１１ａとそれぞれ交換して切替えることにより、移設元の建物Ｘにおいて使用していた機器によって建物Ｙでネットワークを再び構成することができるので、各機器との相性や通信性能に与える影響を低減することができる。
【００４２】
また、本実施形態は、代替ｗｅｂサーバα２１、代替データベースα２２、代替ｗｅｂサーバβ２１、代替データベースβ２２は、予め動作を確認する試験が行われた試験機からそれぞれ構成されているので、図１に示すＤ２及び図１に示すＦ２において代替ｗｅｂサーバα２１、代替データベースα２２、代替ｗｅｂサーバβ２１、及び代替データベースβ２２を稼働させたときに建物Ｙ内でこれらの機器の動作確認を行う必要がないので、ネットワークを共有するシステムα及びシステムβの移設作業においてシステムα及びシステムβの設定や動作の確認にかかる時間を短縮することができる。これにより、システムα及びシステムβの移設作業をより迅速に行うことができ、作業者の負担を軽減することができる。
【００４３】
なお、上述した本実施形態は、遠隔監視センター装置の複数のシステムが２つのシステムαとシステムβとから成る場合について説明したが、この場合に限らず、共有するネットワークの通信帯域が十分確保でき、かつ利用可能なＩＰアドレスがネットワークアドレスの上限値以内であれば、３つ以上のシステムから成っていても良い。この場合も、上述した図１に示すＣ〜Ｆの代替システム稼働機接続工程及びシステム稼働機移設工程における手順と同様に各システムを建物Ｘから建物Ｙへ順次移設することにより、上述したのと同様の作用効果を得ることができる。
【００４４】
また、本実施形態は、建物Ｘと建物Ｙとが隣接する場合について説明したが、ルータ渡り線３１及びハブ渡り線３２，３３が専用線から構成されていれば、建物Ｘと建物Ｙは互いに離れていても良い。
【符号の説明】
【００４５】
１ａ  上位回線
１ｂ  切替先上位回線
２ａ  ルータ
２ｂ  代替ルータ
３ａ  ファイアウォール
３ｂ  代替ファイアウォール
１０ａ  ＤＭＺスイッチングハブ
１０ｂ  代替ＤＭＺスイッチングハブ
１１ａ  非公開スイッチングハブ
１１ｂ  代替非公開スイッチングハブ
α１１，β１１  ｗｅｂサーバ
α１２，β１２  データベース
α２１，β２１  代替ｗｅｂサーバ
α２２，β２２  代替データベース
３１  ルータ渡り線
３２，３３  ハブ渡り線
Ｘ  建物
Ｙ  移設先の建物（別の建物）
【図１】
2012124831.tif 000003
【図２】
2012124831.tif 000004
【図３】
2012124831.tif 000005
【図４】
2012124831.tif 000006
【図５】
2012124831.tif 000007
【図６】
2012124831.tif 000008
【図７】
2012124831.tif 000009
【図８】
2012124831.tif 000010
【図９】
2012124831.tif 000011
【図１０】
2012124831.tif 000012
【図１１】
2012124831.tif 000013
【図１２】
2012124831.tif 000014
【図１３】
2012124831.tif 000015